(57)【要約】  本明細書で説明する様々な態様は、ワイヤレス通信システムにおけるマルチクラスタアップリンク送信のための技法に関する。方法、コンピュータ可読媒体、および装置が提供される。一態様では、この方法は、ユーザ機器(UE)が、1つまたは複数のサウンディング基準信号(SRS)パターンの情報を受信するステップと、UEが、その情報に基づいて、1つまたは複数のレートマッチングパラメータを生成するステップと、UEが、生成された1つまたは複数のレートマッチングパラメータに基づいて、アップリンク信号を送信するステップとを含む。
2020512751.tif 000002
【特許請求の範囲】
【請求項１】
ワイヤレス通信の方法であって、
ユーザ機器(UE)が、1つまたは複数のサウンディング基準信号(SRS)パターンの情報を受信するステップと、
前記UEが、前記情報に基づいて、1つまたは複数のレートマッチングパラメータを生成するステップと、
前記UEが、前記生成された1つまたは複数のレートマッチングパラメータに基づいて、アップリンク信号を送信するステップと
を含む、方法。
【請求項２】
前記UEが、前記情報に基づいて、1つまたは複数のSRSリソースを識別するステップ
をさらに含み、
前記アップリンク信号が、前記識別された1つまたは複数のSRSリソースを避けて送信される
請求項1に記載の方法。
【請求項３】
前記識別された1つまたは複数のSRSリソースが、半静的にまたは独立して構成される、請求項2に記載の方法。
【請求項４】
前記UEが、前記生成された1つまたは複数のレートマッチングパラメータに基づいて、前記アップリンク信号に対してレートマッチングを実行するステップ
をさらに含む、請求項1に記載の方法。
【請求項５】
前記UEが、前記生成された1つまたは複数のレートマッチングパラメータに基づいて、前記アップリンク信号をパンクチャリングするステップ
をさらに含む、請求項1に記載の方法。
【請求項６】
前記アップリンク信号が、物理アップリンク共有チャネル(PUSCH)信号または物理アップリンク制御チャネル(PUCCH)信号である、請求項1に記載の方法。
【請求項７】
前記アップリンク信号が、長いPUCCHチャネル、短いPUCCHチャネル、または1個のシンボルから14個のシンボルまでの持続時間を有するPUSCHチャネルのいずれかである、請求項1に記載の方法。
【請求項８】
前記UEが、前記情報に基づいて、1つまたは複数のSRSリソースを識別するステップ
をさらに含み、
前記アップリンク信号が、前記識別された1つまたは複数のSRSリソース内で送信される
請求項1に記載の方法。
【請求項９】
前記UEが、シンボル内のアップリンク送信のために前記UEによって使用され得るクラスタの数を判定するステップと、
クラスタの前記数が、前記UEがサポートするクラスタの最大数よりも大きいことに応じて、前記UEが、クラスタの前記数を低減させるステップと
をさらに含む、請求項1に記載の方法。
【請求項１０】
前記クラスタが、前記アップリンク送信のために前記UEによって使用され得る周波数領域内の非連続クラスタであり、前記シンボルが、直交周波数分割多重(OFDM)シンボルである、請求項9に記載の方法。
【請求項１１】
クラスタの前記数を前記低減させるステップが、前記クラスタのうちの1つまたは複数をドロップするステップを含む、請求項9に記載の方法。
【請求項１２】
前記UEが、前記アップリンク信号が、サイクリックプレフィックスを用いた直交周波数分割多重(CP-OFDM)信号であるか、または離散フーリエ変換拡散OFDM(DFT-S-OFDM)信号であるかを判定するステップと、
前記UEが、前記アップリンク信号がCP-OFDM信号であるか、またはDFT-S-OFDM信号であるかの前記判定に基づいて、アップリンク送信のために前記UEによって使用され得るクラスタの数を判定するステップであって、クラスタの前記数が、前記アップリンク信号がCP-OFDM信号であるか、またはDFT-S-OFDM信号であるかで異なる、ステップと
をさらに含む、請求項1に記載の方法。
【請求項１３】
前記1つまたは複数のSRSパターンが、少なくともセル固有のSRSパターンまたはUE固有のSRSパターンを含み、
前記1つまたは複数のレートマッチングパラメータが、少なくとも前記セル固有のSRSパターンまたは前記UE固有のSRSパターンに基づいて生成される、請求項1に記載の方法。
【請求項１４】
ワイヤレス通信の方法であって、
ユーザ機器(UE)が、1つまたは複数のレートマッチングパラメータを受信するステップと、
前記UEが、前記受信された1つまたは複数のレートマッチングパラメータに基づいて、前記UEが1つまたは複数のサウンディング基準信号(SRS)リソース内でアップリンク信号を送信するようにスケジュールされていないと判定するステップと、
前記UEが、前記判定に基づいて、アップリンク信号を送信するステップと
を含む、方法。
【請求項１５】
前記1つまたは複数のレートマッチングパラメータが、前記1つまたは複数のSRSリソースを示す1つまたは複数のSRSパターンを含む、請求項14に記載の方法。
【請求項１６】
前記UEが、前記1つまたは複数のレートマッチングパラメータに基づいて、前記1つまたは複数のSRSリソースを識別するステップ
をさらに含み、
前記アップリンク信号が、前記識別された1つまたは複数のSRSリソースを避けて送信される
請求項14に記載の方法。
【請求項１７】
前記UEが、前記1つまたは複数のレートマッチングパラメータに基づいて、前記アップリンク信号に対してレートマッチングを実行するステップ
をさらに含む、請求項14に記載の方法。
【請求項１８】
前記UEが、前記1つまたは複数のレートマッチングパラメータに基づいて、前記アップリンク信号をパンクチャリングするステップ
をさらに含む、請求項14に記載の方法。
【請求項１９】
前記アップリンク信号が、SRS、PUSCH信号、またはPUCCH信号のいずれかである、請求項14に記載の方法。
【請求項２０】
ワイヤレス通信のための装置であって、
信号を受信するように構成された受信機と、
信号を送信するように構成された送信機と、
命令を記憶するように構成されたメモリと、
前記受信機、前記送信機、および前記メモリと通信可能に結合された少なくとも1つのプロセッサと
を備え、前記少なくとも1つのプロセッサが、
前記受信機を介して、1つまたは複数のサウンディング基準信号(SRS)パターンの情報を受信し、
前記情報に基づいて、1つまたは複数のレートマッチングパラメータを生成し、
前記送信機を介して、前記生成された1つまたは複数のレートマッチングパラメータに基づいて、アップリンク信号を送信する
ための命令を実行するように構成される、装置。
【請求項２１】
前記少なくとも1つのプロセッサが、
前記情報に基づいて、1つまたは複数のSRSリソースを識別し、
前記送信機を介して、前記識別された1つまたは複数のSRSリソースを避けて前記アップリンク信号を送信する
ための命令をさらに実行するように構成される、請求項20に記載の装置。
【請求項２２】
前記少なくとも1つのプロセッサが、
前記生成された1つまたは複数のレートマッチングパラメータに基づいて、前記アップリンク信号に対してレートマッチングを実行する
ための命令をさらに実行するように構成される、請求項20に記載の装置。
【請求項２３】
前記少なくとも1つのプロセッサが、
前記生成された1つまたは複数のレートマッチングパラメータに基づいて、前記アップリンク信号をパンクチャリングする
ための命令をさらに実行するように構成される、請求項20に記載の装置。
【請求項２４】
前記アップリンク信号が、物理アップリンク共有チャネル(PUSCH)信号または物理アップリンク制御チャネル(PUCCH)信号である、請求項20に記載の装置。
【請求項２５】
前記少なくとも1つのプロセッサが、
シンボル内のアップリンク送信のために前記装置によって使用され得るクラスタの数を判定し、
クラスタの前記数が、前記装置がサポートするクラスタの最大数よりも大きいことに応じて、クラスタの前記数を低減させる
ための命令をさらに実行するように構成される、請求項20に記載の装置。
【請求項２６】
ワイヤレス通信のための装置であって、
信号を受信するように構成された受信機と、
信号を送信するように構成された送信機と、
命令を記憶するように構成されたメモリと、
前記受信機、前記送信機、および前記メモリと通信可能に結合された少なくとも1つのプロセッサと
を備え、前記少なくとも1つのプロセッサが、
前記受信機を介して、1つまたは複数のレートマッチングパラメータを受信し、
前記受信された1つまたは複数のレートマッチングパラメータに基づいて、前記装置が1つまたは複数のサウンディング基準信号(SRS)リソース内でアップリンク信号を送信するようにスケジュールされていないと判定し、
前記送信機を介して、前記判定に基づいて、アップリンク信号を送信する
ための命令を実行するように構成される、装置。
【請求項２７】
前記1つまたは複数のレートマッチングパラメータが、前記1つまたは複数のSRSリソースを示す1つまたは複数のSRSパターンを含む、請求項26に記載の装置。
【請求項２８】
前記少なくとも1つのプロセッサが、
前記1つまたは複数のレートマッチングパラメータに基づいて、前記1つまたは複数のSRSリソースを識別し、
前記送信機を介して、前記識別された1つまたは複数のSRSリソースを避けて前記アップリンク信号を送信する
ための命令をさらに実行するように構成される、請求項26に記載の装置。
【請求項２９】
前記少なくとも1つのプロセッサが、
前記1つまたは複数のレートマッチングパラメータに基づいて、前記アップリンク信号に対してレートマッチングを実行する
ための命令をさらに実行するように構成される、請求項26に記載の装置。
【請求項３０】
前記少なくとも1つのプロセッサが、
前記1つまたは複数のレートマッチングパラメータに基づいて、前記アップリンク信号をパンクチャリングする
ための命令をさらに実行するように構成される、請求項26に記載の装置。
【発明の詳細な説明】
【技術分野】
【０００１】
関連出願の相互参照
本特許出願は、その全体が参照により本明細書に明確に組み込まれている、2018年3月22日に出願した、「TECHNIQUES FOR MULTI-CLUSTER UPLINK TRANSMISSIONS」と題する米国非仮出願第15/933,068号、および2017年3月24日に出願した、「TECHNIQUES FOR MULTI-CLUSTER UPLINK TRANSMISSIONS」と題する米国仮出願第62/476,356号の優先権を主張するものである。
【０００２】
本開示の態様は、一般に、ワイヤレス通信システムに関し、より詳細には、ワイヤレス通信システム(たとえば、5Gニューラジオ)におけるサウンディング基準信号(SRS)を用いたマルチクラスタアップリンク送信のための技法に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、時間、周波数、電力、および/またはスペクトル)を共有することによって複数のユーザとの通信をサポートすることが可能な多元接続技術を採用し得る。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)を含む。
【０００４】
これらの多元接続技術は、異なるワイヤレスデバイスが都市、国家、地域、さらには地球規模で通信することを可能にする共通プロトコルを提供するために、様々な電気通信規格において採用されている。例示的な電気通信規格は、ロングタームエボリューション(LTE)またはLTEアドバンスト(LTE-A)である。しかしながら、LTEまたはLTE-Aシステムなどのより新しい多元接続システムは古い技術よりも、より速いデータスループットを実現するが、そのような増加したダウンリンクレートは、モバイルデバイス上でまたはモバイルデバイスを用いて使用する場合、高解像度グラフィックスおよびビデオなどのより高い帯域幅のコンテンツに対するより高い需要をもたらした。したがって、帯域幅、より高いデータレート、より良好な伝送品質およびより良好なスペクトル利用、ならびにワイヤレス通信システム上のより低い遅延に対する需要が増大し続けている。
【０００５】
広範囲のスペクトルにおいて使用される第5世代(5G)ニューラジオ(NR)通信技術は、現在のモバイルネットワーク世代に対して多様な使用シナリオおよび適用例を拡大することおよびサポートすることが予測される。一態様では、5G NR通信技術は、たとえば、マルチメディアコンテンツ、サービスおよびデータにアクセスするために人間中心の使用事例に対処する拡張モバイルブロードバンド(eMBB: enhanced mobile broadband)、特に遅延および信頼性に関して厳格な要求を伴う超高信頼低遅延通信(URLLC: ultra-reliable low-latency communications)、および非常に多くの接続デバイスのため、および一般的には比較的低容量の即時検知情報(non-delay-sensitive information)を送信するための大規模マシン型通信(mMTC: massive machine type communications)を含む。モバイルブロードバンドアクセスに対する需要が増加し続けるにつれて、5G通信技術以降においてさらなる改善が必要である。好ましくは、これらの改善は、他の多元接続技術、およびこれらの技術を採用する電気通信規格に適用可能であるべきである。
【発明の概要】
【発明が解決しようとする課題】
【０００６】
したがって、増大するデータレートに対する要件、より高い容量、より高いスペクトル効率、およびより良好なセルカバレージにより、消費者需要を満たし、ワイヤレス通信におけるユーザ経験を改善する目的で、マルチシンボルアップリンク送信および/またはマルチクラスタアップリンク送信(たとえば、SRS送信)を向上するための新しいまたは改善された手法が望ましい。
【課題を解決するための手段】
【０００７】
以下に、そのような態様の基本的理解を可能にするために、1つまたは複数の態様の簡略化された概要を提示する。この概要は、すべての考えられる態様の包括的な概説ではなく、すべての態様の主要または重要な要素を特定することも、いずれかまたはすべての態様の範囲を定めることも意図していない。その目的は、後で提示するより詳細な説明の前置きとして、1つまたは複数の態様のいくつかの概念を簡略化された形で提示することである。
【０００８】
一例によれば、ワイヤレス通信システムにおけるアップリンク送信に関する方法が提供される。この方法は、ユーザ機器(UE)が、1つまたは複数のサウンディング基準信号(SRS)パターンの情報を受信するステップと、UEが、その情報に基づいて、1つまたは複数のレートマッチングパラメータを生成するステップと、UEが、生成された1つまたは複数のレートマッチングパラメータに基づいて、アップリンク信号を送信するステップとを含む。
【０００９】
一態様では、受信機と、送信機と、命令を記憶するように構成されたメモリと、受信機、送信機、およびメモリと通信可能に結合された少なくとも1つのプロセッサとを含む、ワイヤレス通信のための装置が提供される。一例では、少なくとも1つのプロセッサは、受信機を介して、1つまたは複数のSRSパターンの情報を受信し、その情報に基づいて、1つまたは複数のレートマッチングパラメータを生成し、送信機を介して、生成された1つまたは複数のレートマッチングパラメータに基づいて、アップリンク信号を送信するための命令を実行するように構成される。
【００１０】
別の態様では、1つまたは複数のSRSパターンの情報を受信するための手段と、その情報に基づいて、1つまたは複数のレートマッチングパラメータを生成するための手段と、生成された1つまたは複数のレートマッチングパラメータに基づいて、アップリンク信号を送信するための手段とを含む、ワイヤレス通信のための装置が提供される。
【００１１】
さらに別の態様では、ワイヤレス通信においてアップリンク送信を管理するために少なくとも1つのプロセッサによって実行可能なコンピュータコードを記憶したコンピュータ可読媒体(たとえば、非一時的コンピュータ可読媒体)が提供される。コンピュータ可読媒体は、1つまたは複数のSRSパターンの情報を受信するためのコードと、その情報に基づいて、1つまたは複数のレートマッチングパラメータを生成するためのコードと、生成された1つまたは複数のレートマッチングパラメータに基づいて、アップリンク信号を送信するためのコードとを含み得る。
【００１２】
別の例によれば、ワイヤレス通信システムにおけるアップリンク送信に関する方法が提供される。一態様では、この方法は、UEが、1つまたは複数のレートマッチングパラメータを受信するステップと、UEが、受信された1つまたは複数のレートマッチングパラメータに基づいて、UEが1つまたは複数のSRSリソース内でアップリンク信号を送信するようにスケジュールされていないと判定するステップと、UEが、その判定に基づいて、アップリンク信号を送信するステップとを含む。
【００１３】
別の態様では、受信機と、送信機と、命令を記憶するように構成されたメモリと、受信機、送信機、およびメモリと通信可能に結合された少なくとも1つのプロセッサとを含む、ワイヤレス通信のための装置が提供される。一例では、少なくとも1つのプロセッサは、受信機を介して、1つまたは複数のレートマッチングパラメータを受信し、受信された1つまたは複数のレートマッチングパラメータに基づいて、装置が1つまたは複数のSRSリソース内でアップリンク信号を送信するようにスケジュールされていないと判定し、送信機を介して、その判定に基づいて、アップリンク信号を送信するための命令を実行するように構成される。
【００１４】
さらに別の態様では、1つまたは複数のレートマッチングパラメータを受信するための手段と、受信された1つまたは複数のレートマッチングパラメータに基づいて、装置が1つまたは複数のSRSリソース内でアップリンク信号を送信するようにスケジュールされていないと判定するための手段と、その判定に基づいて、アップリンク信号を送信するための手段とを含む、ワイヤレス通信のための装置が提供される。
【００１５】
さらなる態様では、ワイヤレス通信においてアップリンク送信を管理するために少なくとも1つのプロセッサによって実行可能なコンピュータコードを記憶したコンピュータ可読媒体(たとえば、非一時的コンピュータ可読媒体)が提供される。コンピュータ可読媒体は、1つまたは複数のレートマッチングパラメータを受信するためのコードと、受信された1つまたは複数のレートマッチングパラメータに基づいて、UEが1つまたは複数のSRSリソース内でアップリンク信号を送信するようにスケジュールされていないと判定するためのコードと、その判定に基づいて、アップリンク信号を送信するためのコードとを含み得る。
【００１６】
上記の目的および関係する目的の達成のために、1つまたは複数の態様は、以下で十分に説明されるとともに特に特許請求の範囲において指摘される特徴を備える。以下の説明および添付の図面は、1つまたは複数の態様のいくつかの例示的な特徴を詳細に記載する。しかしながら、これらの特徴は、様々な態様の原理が採用される場合がある様々な方法のうちのいくつかを示すものにすぎず、この説明は、そのようなすべての態様およびそれらの均等物を含むものとする。
【００１７】
本明細書で説明する態様のより完全な理解を容易にするために、ここで、同様の要素が同様の数字を用いて参照される添付の図面について言及する。これらの図面は、本開示を限定するものと解釈されるべきではなく、例示的なものにすぎないものとする。
【図面の簡単な説明】
【００１８】
【図１】今回説明する態様のうちの1つまたは複数による、アップリンク(UL)送信を実行するように構成された1つまたは複数のユーザ機器(UE)と通信している少なくとも1つのネットワークエンティティを含む例示的な通信ネットワークのブロック図である。
【図２】今回説明する態様のうちの1つまたは複数による、UEのULマルチクラスタ送信のための例示的なリソース割振りの図である。
【図３】今回説明する態様のうちの1つまたは複数による、ホッピングを伴うマルチシンボルサウンディング基準信号(SRS)のための例示的なリソース割振りの図である。
【図４】今回説明する態様のうちの1つまたは複数による、UL信号におけるSRSホッピングパターンの図である。
【図５】今回説明する態様のうちの1つまたは複数による、その後に共通UL信号が続く長いUL信号内のSRSホッピングのための例示的なリソース割振りの図である。
【図６】今回説明する態様のうちの1つまたは複数による、UEのUL送信のための、SRSホッピングおよび潜在的なクラスタ選択のための例示的なリソース割振りの図である。
【図７】今回説明する態様のうちの1つまたは複数による、UEのUL送信のための潜在的なクラスタを選択するための例示的なリソース割振りの図である。
【図８】今回説明する態様のうちの1つまたは複数による、UEにおけるレートマッチングを用いた例示的なリソース割振りの図である。
【図９】今回説明する態様のうちの1つまたは複数による、アップリンク送信のための第1の例示的な方法の流れ図である。
【図１０】今回説明する態様のうちの1つまたは複数による、アップリンク送信のための第2の例示的な方法の流れ図である。
【発明を実施するための形態】
【００１９】
第5世代(5G)ニューラジオ(NR)通信では、アップリンク(UL)送信においてマルチシンボルサウンディング基準信号(SRS)がサポートされ得るか、または使用され得る。一態様では、マルチシンボルSRS送信がUL信号内で使用されるとき、アップリンク信号内のユーザ機器(UE)のためのUL割当て(たとえば、物理アップリンク共有チャネル(PUSCH)または物理アップリンク制御チャネル(PUCCH))は、1つまたは複数の他のULからのSRS送信と衝突することがある。いくつかの例では、アップリンク信号は、長いPUCCHチャネル、もしくは短いPUCCHチャネル、または1個から14個までのシンボルの持続時間を有するPUSCHチャネルであってよい。場合によっては、複数のUE間のレートマッチングおよび/またはマルチクラスタUL送信の問題に対処することが必要な場合がある。いくつかの例では、長いUL信号は、少なくとも4個の直交周波数分割多重(OFDM)シンボルを含んでよく、いくつかの実装形態では、長いUL信号は、10個以上のOFDMシンボルを含んでよい。
【００２０】
添付の図面に関して下記に記載する発明を実施するための形態は、様々な構成について説明するものであり、本明細書で説明する概念が実践されてもよい唯一の構成を表すものではない。詳細な説明は、様々な概念の完全な理解を可能にすることを目的として具体的な詳細を含む。しかしながら、これらの概念はこれらの具体的な詳細なしに実践されてよいことが、当業者には明らかであろう。場合によっては、そのような概念を不明瞭にすることを回避するために、よく知られている構成要素はブロック図の形で示されている。
【００２１】
次に、電気通信システムのいくつかの態様が、様々な装置および方法を参照して提示される。これらの装置および方法について、以下の詳細な説明において説明し、様々なブロック、モジュール、構成要素、回路、ステップ、プロセス、アルゴリズムなど(「要素」と総称される)によって添付の図に示す。これらの要素は、電子ハードウェア、コンピュータソフトウェア、またはそれらの任意の組合せを使用して実装されることがある。そのような要素がハードウェアとして実装されるか、またはソフトウェアとして実装されるかは、具体的な適用例および全体的なシステムに課される設計制約に依存する。
【００２２】
例として、要素、要素の任意の部分、または要素の任意の組合せは、1つまたは複数のプロセッサを含む「処理システム」を用いて実装されてもよい。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアを含む。処理システムの中の1つまたは複数のプロセッサは、ソフトウェアを実行してもよい。ソフトウェアは、ソフトウェア、ファームウェア、ミドルウェア、マイクロコード、ハードウェア記述言語などと呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。
【００２３】
したがって、1つまたは複数の態様では、説明する機能は、ハードウェア、ソフトウェア、ファームウェア、またはそれらの任意の組合せにおいて実装され得る。ソフトウェアにおいて実装される場合、機能は、コンピュータ可読媒体上の1つまたは複数の命令またはコードとして、記憶または符号化され得る。コンピュータ可読媒体は、コンピュータ記憶媒体を含む。記憶媒体は、コンピュータによってアクセスされ得る任意の利用可能な媒体であってもよい。限定ではなく例として、そのようなコンピュータ可読媒体は、RAM、ROM、EEPROM、CD-ROMもしくは他の光ディスクストレージ、磁気ディスクストレージもしくは他の磁気記憶デバイス、または命令もしくはデータ構造の形態で所望のプログラムコードを搬送もしくは記憶するために使用され得るとともにコンピュータによってアクセスされ得る任意の他の媒体を備え得る。本明細書で使用されるディスク(disk)およびディスク(disc)は、コンパクトディスク(disc)(CD)、レーザーディスク(登録商標)(disc)、光ディスク(disc)、デジタル多用途ディスク(disc)(DVD)、およびフロッピーディスク(disk)を含み、ディスク(disk)は通常データを磁気的に再生し、ディスク(disc)はデータをレーザで光学的に再生する。上記の組合せもまた、コンピュータ可読媒体の範囲内に含まれるべきである。
【００２４】
本明細書で説明するのは、ワイヤレス通信システム(たとえば、5G NRシステム)、具体的には、マルチシンボルSRSを用いたマルチクラスタアップリンク送信のための技法に関する様々な態様である。いくつかの態様では、UL信号(たとえば、長いUL信号)内のUEに対するUL割当て(たとえば、PUSCHまたはPUCCH)が他のUEのSRS送信またはSRSリソースと衝突しているときはいつでも、UEからの異なる動作が予想され得る。たとえば、マルチクラスタUL送信を回避するために、UEは、いかなる状況においてもUL送信(たとえば、PUSCH/PUCCH)を送信することができる。別の例では、UEは、他のUEとのスケジュールされたSRS送信との衝突を回避するために、PUSCH/PUCCH信号をレートマッチングまたはパンクチャリングするように構成され得る。さらに別の例では、UEは、UEからのPUSCH/PUCCH信号と他のUEからのSRS送信との間の衝突を回避するために、すべての半静的に構成されたSRS送信を避けて(around)レートマッチングまたはパンクチャリングするように構成され得る。
【００２５】
いくつかの態様では、SRSは、1つまたは複数のUEからUL上で送信される基準信号である。いくつかの実装形態では、少なくとも2つの使用事例がSRS送信の使用により促進される必要があり得る:すなわち、ダウンリンク(DL)のためにUL-DL相反性を活用すること、およびULのためにULチャネルサウンディングを実行すること、である。たとえば、基地局(たとえば、eNB)に対して時分割複信(TDD)ネットワーク(または、周波数分割複信(FDD)ネットワーク)においてチャネル相反性(たとえば、UL-DL相反性)を使用して、UEからの激しいフィードバックに依存せずに、UL SRS送信からDLチャネル状態情報を取得することができる。いくつかの従来のワイヤレス通信システム(たとえば、LTEシステム)では、UL SRSに対して1つのシンボルのみが使用され得る。対照的に、たとえば、5G NRシステムは、UL SRSに対して複数のシンボルを使用することができ、構成可能なSRS帯域幅がサポートされる。たとえば、SRSは、周波数領域(たとえば、コムレベル)における、かつ/または時間領域(たとえば、マルチシンボルSRS送信)における密度に関して構成可能であり得る。一態様では、周波数ホッピングは、5G NRにおいて、少なくともサブバンドの粒度を用いたホッピングがサポートされる、UEに対する部分帯域内で少なくともサポートされる。いくつかの例では、シンボルレベルホッピングは、送信スロット内でSRSに対して確保されることになる複数のシンボルを使用することができる。
【００２６】
上記で説明した態様の各々は、下記でより詳細に説明する図1〜図10に関して実行または実装されてよい。
【００２７】
図1を参照すると、一態様では、ワイヤレス通信システム100は、少なくとも1つのネットワークエンティティ20(たとえば、5G NRネットワーク内の基地局、もしくはeNB、またはそのセル)の通信カバレージ内に少なくとも1つのUE12またはUE14を含む。UE12および/またはUE14は、ネットワークエンティティ20を介してネットワークと通信してもよい。いくつかの態様では、少なくともUE12および/またはUE14を含む複数のUEは、ネットワークエンティティ20を含む1つまたは複数のネットワークエンティティとの通信カバレージの中にあってもよい。一態様では、ネットワークエンティティ20は、5G NR技術ネットワークにおけるかつ/またはロングタームエボリューション(LTE)ネットワークにおけるeNodeB/eNBなどの基地局であり得る。様々な態様が、ユニバーサルモバイルテレコミュニケーションシステム(UMTS)ネットワーク、LTEネットワーク、または5G NRネットワークに関して説明されるが、同様の原理が、他のワイヤレスワイドエリアネットワーク(WWAN)に適用されてもよい。ワイヤレスネットワークは、複数のUEが1つのチャネル上で送信し得る方式を採用し得る。一例では、UE12および/またはUE14は、ネットワークエンティティ20との間でワイヤレス通信を送信および/または受信することができる。たとえば、UE12および/またはUE14は、ネットワークエンティティ20とアクティブに通信していてよい。
【００２８】
いくつかの態様では、UE12および/またはUE14はまた、当業者によって(ならびに本明細書において互換的に)、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアントと呼ばれるか、または何らかの他の適切な用語で呼ばれることもある。UE12および/またはUE14は、セルラー電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局、全地球測位システム(GPS)デバイス、マルチメディアデバイス、ビデオデバイス、デジタルオーディオプレーヤ(たとえば、MP3プレーヤ)、カメラ、ゲーム機、ウェアラブルコンピューティングデバイス(たとえば、スマートウォッチ、スマートグラス、健康またはフィットネストラッカーなど)、アプライアンス、センサー、車両通信システム、医療デバイス、自動販売機、モノのインターネット(IoT)のためのデバイス、または任意の他の同様の機能デバイスであり得る。さらに、ネットワークエンティティ20は、マクロセル、ピコセル、フェムトセル、中継器、ノードB、モバイルノードB、スモールセルボックス、UE(たとえば、UE12および/またはUE14とピアツーピアモードまたはアドホックモードで通信する)、またはUE12および/UE14にワイヤレスネットワークアクセスを提供するためにUE12および/またはUE14と通信することができる実質的に任意のタイプの構成要素であってもよい。
【００２９】
本態様によれば、UE12および/またはUE14は、本明細書で説明するようなアップリンク管理およびアップリンク送信を実行するために、SRSリソース構成要素42、レートマッチング構成要素44、および/またはクラスタ管理構成要素46を制御するためにアップリンク管理構成要素40と組み合わせて動作し得る、1つまたは複数のプロセッサ103とメモリ130とを含み得る。
【００３０】
たとえば、アップリンク管理構成要素40は、他のUEからのSRSリソースまたはSRS送信の情報を識別し、UL送信(たとえば、PUSCH/PUCCH)のためにレートマッチングし、かつ/またはUL送信のためにマルチクラスタ管理を実行するように構成され得る。一態様では、本明細書で使用される「構成要素」という用語は、システムを構成する部品の1つであってもよく、ハードウェア、ファームウェア、および/またはソフトウェアであってもよく、他の構成要素に分割されてもよい。アップリンク管理構成要素40は、RF信号を受信して処理するための受信機32と、RF信号を処理して送信するための送信機34とを含み得るトランシーバ106に通信可能に結合され得る。
【００３１】
いくつかの態様では、アップリンク管理構成要素40は、アップリンク管理およびアップリンク送信を実行するための、SRSリソース構成要素42、レートマッチング構成要素44、および/またはクラスタ管理構成要素46を含み得る。たとえば、SRSリソース構成要素42は、UEのSRS送信のために使用されるSRSリソースまたはSRSパターンを識別または判定するように構成され得る。一例では、レートマッチング構成要素44は、UE12からのUL送信が他のUE(たとえば、UE14)からのSRS送信に衝突するのを回避するためにレートマッチングを実行するように構成され得る。一例では、クラスタ管理構成要素46は、UL送信において使用されるクラスタの数を判定し、UEがサポートし得るクラスタの最大数を判定、識別、または報告し、および/またはUEがUL送信のために使用し得るクラスタの数を調整する(たとえば、低減させる)ように構成され得る。プロセッサ103は、少なくとも1つのバス110を介してトランシーバ106およびメモリ130と通信可能に結合され得る。
【００３２】
受信機32は、データを受信するためにプロセッサによって実行可能なハードウェア、ファームウェア、および/またはソフトウェアコードを含むことができ、コードは命令を備え、メモリ(たとえば、コンピュータ可読媒体、または非一時的コンピュータ可読記憶媒体)内に記憶される。受信機32は、たとえば、無線周波数(RF)受信機であり得る。一態様では、受信機32は、UE12および/もしくはUE14、またはネットワークエンティティ20によって送信された信号を受信し得る。受信機32は、信号の測定値を取得し得る。たとえば、受信機32はEc/Io、SNR等を決定することができる。
【００３３】
送信機34は、データを送信するためにプロセッサによって実行可能なハードウェア、ファームウェア、および/またはソフトウェアコードを含むことができ、コードは命令を備え、メモリ(たとえば、コンピュータ可読媒体)内に記憶される。送信機34は、たとえば、RF送信機であってよい。
【００３４】
一態様では、1つまたは複数のプロセッサ103は、1つまたは複数のモデムプロセッサを使用するモデム108を含むことができる。アップリンク管理構成要素40に関連する様々な機能は、モデム108および/またはプロセッサ103内に含まれてもよく、一態様では、単一のプロセッサによって実行されてもよく、他の態様では、機能のうちの異なるものは、2つ以上の異なるプロセッサの組合せによって実行されてもよい。たとえば、一態様では、1つまたは複数のプロセッサ103は、モデムプロセッサ、またはベースバンドプロセッサ、またはデジタル信号プロセッサ、または送信プロセッサ、またはトランシーバ106に関連付けられたトランシーバプロセッサのうちの任意の1つまたは任意の組合せを含み得る。具体的には、1つまたは複数のプロセッサ103は、SRSリソース構成要素42、レートマッチング構成要素44、および/またはクラスタ管理構成要素46を含むアップリンク管理構成要素40内に含まれる構成要素を実装し得る。
【００３５】
アップリンク管理構成要素40、SRSリソース構成要素42、レートマッチング構成要素44、および/またはクラスタ管理構成要素46は、ランダムアクセスの管理および動作を実行するためにプロセッサによって実行可能なハードウェア、ファームウェア、および/またはソフトウェアコードを含み得る。たとえば、ハードウェアは、たとえば、ハードウェアアクセラレータ、または専用プロセッサを含み得る。
【００３６】
さらに、一態様では、UE12および/またはUE14は、無線送信、たとえば、ワイヤレス通信26を受信および送信するためにRFフロントエンド104とトランシーバ106とを含んでもよい。たとえば、トランシーバ106は、UE12および/または他のUE(たとえば、UE14)に対して割り振られた/構成された/スケジュールされたSRSリソースの情報(たとえば、DCI)を含む信号を受信することができる。本明細書で論じるUE動作に応じて、トランシーバ106は、(たとえば、衝突および/またはマルチクラスタ送信を回避するために)UL信号をネットワークエンティティ20に送信してよく、または送信しなくてもよい。たとえば、トランシーバ106は、アップリンク管理構成要素40によって生成されたメッセージを送信するために、および/またはメッセージを受信し、それらをアップリンク管理構成要素40に転送するために、モデム108と通信してもよい。
【００３７】
RFフロントエンド104は、1つまたは複数のアンテナ102に接続されてもよく、RF信号を送信および受信するための、1つまたは複数の低雑音増幅器(LNA)141と、1つまたは複数のスイッチ142、143、146と、1つまたは複数の電力増幅器(PA)145と、1つまたは複数のフィルタ144とを含むことができる。一態様では、RFフロントエンド104の構成要素は、トランシーバ106に接続することができる。トランシーバ106は、1つまたは複数のモデム108およびプロセッサ103に接続することができる。
【００３８】
一態様では、LNA141は、所望の出力レベルで受信信号を増幅することができる。一態様では、各LNA141は、指定された最小および最大の利得値を有することができる。一態様では、RFフロントエンド104は、1つまたは複数のスイッチ142、143を使用して、特定のアプリケーションの所望の利得値に基づいて、特定のLNA141およびその指定された利得値を選択することができる。一態様では、RFフロントエンド104は、測定値(たとえば、Ec/Io)および/または適用された利得値をアップリンク管理構成要素40に提供することができる。
【００３９】
さらに、RF出力の信号を所望の出力電力レベルで増幅するために、たとえば、RFフロントエンド104によって1つまたは複数のPA145が使用され得る。一態様では、各PA145は、指定された最小および最大の利得値を有することができる。一態様では、RFフロントエンド104は、1つまたは複数のスイッチ143、146を使用して、特定のアプリケーションの所望の利得値に基づいて、特定のPA145およびその指定された利得値を選択することができる。
【００４０】
また、たとえば、1つまたは複数のフィルタ144がRFフロントエンド104により使用されて、受信信号をフィルタリングし、入力RF信号を取得することができる。同様に、一態様では、たとえば、それぞれのフィルタ144を使用して、それぞれのPA145からの出力をフィルタリングして送信用の出力信号を生成することができる。一態様では、各フィルタ144は、特定のLNA141および/またはPA145に接続され得る。一態様では、RFフロントエンド104は、1つまたは複数のスイッチ142、143、146を使用して、トランシーバ106および/またはプロセッサ103によって指定された構成に基づいて、指定されたフィルタ144、LNA141、および/またはPA145を使用して送信経路または受信経路を選択することができる。
【００４１】
トランシーバ106は、RFフロントエンド104を介してアンテナ102を通じてワイヤレス信号を送信および受信するように構成され得る。一態様では、トランシーバは、UE12および/またはUE14が、たとえば、ネットワークエンティティ20と通信できるように、指定された周波数で動作するようにチューニングされ得る。一態様では、たとえば、モデム108は、UE12および/またはUE14のUE構成、およびモデム108により使用される通信プロトコルに基づき、トランシーバ106を指定された周波数および電力レベルで動作するように構成することができる。
【００４２】
一態様では、モデム108は、デジタルデータがトランシーバ106を使用して送受信されるようにデジタルデータを処理してトランシーバ106と通信することができるマルチバンドマルチモードモデムであり得る。一態様では、モデム108はマルチバンドであり得、また特定の通信プロトコルのために複数の周波数帯域をサポートするように構成され得る。一態様では、モデム108は、マルチモードであり得、また複数の動作ネットワークおよび通信プロトコルをサポートするように構成され得る。一態様では、モデム108は、指定されたモデム構成に基づいて信号の送信および/または受信を可能にするために、UE12および/もしくはUE14、またはネットワークエンティティ20の1つまたは複数の構成要素(たとえば、RFフロントエンド104、トランシーバ106)を制御することができる。一態様では、モデム構成は、モデムのモード、および使用される周波数帯域に基づき得る。別の態様では、モデム構成は、セル選択および/またはセル再選択の間にネットワークによって与えられるUE12および/またはUE14に関連するUE構成情報に基づき得る。
【００４３】
UE12および/もしくはUE14、またはネットワークエンティティ20は、本明細書および/またはアプリケーションのローカルバージョンで使用されるデータを記憶するためなどのメモリ130、あるいはアップリンク管理構成要素40および/またはプロセッサ103によって実行されるその副構成要素のうちの1つまたは複数をさらに含み得る。メモリ130は、ランダムアクセスメモリ(RAM)、読出し専用メモリ(ROM)、テープ、磁気ディスク、光ディスク、揮発性メモリ、不揮発性メモリ、およびそれらの任意の組合せなどの、コンピュータまたはプロセッサ103によって使用可能な任意のタイプのコンピュータ可読媒体を含むことができる。一態様では、たとえば、メモリ130は、UE12および/またはUE14がアップリンク管理構成要素40および/またはアップリンク管理構成要素40の副構成要素のうちの1つまたは複数を実行するためにプロセッサ103を動作させているとき、アップリンク管理構成要素40および/またはその副構成要素のうちの1つまたは複数、ならびに/あるいはそれに関連付けられたデータを定義する、1つまたは複数のコンピュータ実行可能コードを記憶するコンピュータ可読記憶媒体であり得る。別の態様では、たとえば、メモリ130は、非一時的コンピュータ可読記憶媒体であってもよい。
【００４４】
図2を参照すると、一態様では、たとえば、UE(たとえば、図1のUE12またはUE14)のためのマルチクラスタUL送信200は、異なるクラスタ(たとえば、異なる周波数リソースクラスタまたは時間リソースクラスタ)において、たとえば、クラスタ1およびクラスタ2において生じ得、図2に示すように、各クラスタは、ULリソース202内に周波数および/または時間のそれぞれの割振り(たとえば、リソース割振りにおけるPUSCHまたはPUCCH)を有する。一例では、クラスタ1は、UEに対するPUSCHおよび/またはPUCCH割振り204を含んでよく、クラスタ2は、UEに対するPUSCHおよび/またはPUCCH割振り206を含んでよい。いくつかの実装形態では、マルチクラスタ送信200は、結果として、(たとえば、5G NRシステムにおける)UL送信に対してサイクリックプレフィックスを用いたOFDM(CP-OFDM)または離散フーリエ変換拡散OFDM(DFT-S-OFDM)を使用するときに生じ得る電力増幅器(PA)非効率性をもたらし得る。たとえば、UL波形がDFT-S-OFDMを使用するとき、DFT-S-OFDMを使用するULマルチクラスタ送信は、著しく高いキュービックメトリック(CM)をもたらし得る。したがって、いくつかの実装形態では、ULマルチクラスタ送信は、いくつかの従来のワイヤレス通信システム(たとえば、LTEシステム)において回避され得、同じ理由で、5G NRシステムは、ULマルチクラスタ送信の回避をやはり試みることができる。
【００４５】
図3を参照すると、本開示の一態様では、ホッピングを伴うマルチシンボルSRS方式300の例が提供されている。たとえば、ULリソース302は、時間領域内に複数のシンボル312(たとえば、OFDMシンボル)を、周波数領域内に複数のサブバンド314を(たとえば、リソースブロック内に)含み得る。各ブロック(たとえば、ブロック304、306、308、および310)は、それぞれのUE(たとえば、UE1もしくはUE2、または図1のUE12もしくはUE14)に対するリソース割振り(たとえば、SRS、PUCCH、またはPUSCHに対するリソース割振り)を表し、UEは、1つまたは複数のSRSを送信するために、割り振られたまたはスケジュールされたサブバンドおよび/またはOFDMシンボルを使用することができる。いくつかの例では、SRSホッピングは、時間領域で(たとえば、OFDMシンボルから異なるOFDMシンボルへのホッピング)、かつ/または周波数領域で(たとえば、OFDMサブバンドから異なるOFDMサブバンドへのホッピング)実行され得る。一態様では、UE1は、1つまたは複数のSRSを送信するために複数のブロックをホップし得る。たとえば、UE1は、ブロック310において(たとえば、「UE1」ラベルを有するブロックによって示される周波数および時間において)1つまたは複数のSRSを送信することができる。場合によっては、時間領域で、UE1のSRSは、左側の第2のシンボルから右側の第3のシンボルにホップし、周波数領域で、UE1のSRSは、上部における第1のサブバンドから下部における第4のサブバンドにホップし得る。
【００４６】
図4を参照すると、一態様では、ホッピングを伴うマルチシンボルSRS方式400が示され、UE(たとえば、図4に示すUE1、または図1に示したUE12もしくはUE14)のPUSCHおよび/またはPUCCH送信のための長いリソース割振り404を含むULリソース402内でSRSホッピングパターンが使用され得る。マルチシンボルSRS方式300と同様に、たとえば、長いリソース割振り404は、時間領域内に複数のシンボル(たとえば、OFDMシンボル)を、周波数領域内に複数のサブバンドを(たとえば、リソースブロック内に)含み得る。一例では、各ブロック(たとえば、ブロック406、408、410、および412)は、それぞれのUE(たとえば、UE1もしくはUE2、または図1のUE12もしくはUE14)に対するリソース割振りを表し、UEは、1つまたは複数のSRSを送信するために、割り振られたまたはスケジュールされたサブバンドおよび/またはOFDMシンボルを使用することができる。いくつかの例では、SRSホッピングは、時間領域で(たとえば、OFDMシンボルから異なるOFDMシンボルへのホッピング)、かつ/または周波数領域で(たとえば、OFDMサブバンドから異なるOFDMサブバンドへのホッピング)実行され得る。
【００４７】
いくつかの態様では、UE1がSRSを送信していないとき、かつ/または他のUEがSRSを送信するようにスケジュールされているとき、UE1は、PUSCHまたはPUCCHを送信することができる。一態様では、長いリソース割振り404は、SRS送信(たとえば、ブロック406、408、410、および412のうちの1つまたは複数における)が、UEに対してPUSCH/PUCCHスケジュールされた送信の内部で本質的にパンクチャリングされ得ることを示す。いくつかの実装形態では、SRSリソースは、(たとえば、ネットワークまたはネットワークエンティティ20によって)半静的にスケジュールされ、1つまたは複数のUE(たとえば、UE1、UE2、UE12、および/もしくはUE14、またはセルのカバレージエリア内のすべてのUE)はSRSリソースを認識している。一例では、ネットワークまたはネットワークエンティティ(たとえば、ネットワークエンティティ20)は、SRSリソースをオンおよび/またはオフに動的に切り替えることができる。
【００４８】
図5を参照すると、一態様では、UE(たとえば、UE1、UE2、UE12、またはUE14)は、ULリソース502内でマルチクラスタUL送信を回避するためにマルチシンボルSRS方式500を使用するように構成され得る。一実装形態では、構成は、マルチクラスタUL送信を回避するためのUE能力内に含まれてよいか、またはそれによって示されてよい。たとえば、ULリソース502内で、UEがどのSRSリソースが(たとえば、ブロック508および510において)オンに切り替えられているか(たとえば、図3のマルチシンボルSRS方式300および図4のマルチシンボルSRS方式400と比較して、4つのリソースの中の2つのリソース)を学習した後で、1つまたは複数の異なる動作がUEによって予想され得るか、またはUEによって構成され得る。一態様では、UEは、マルチクラスタ送信を回避するために、UL信号(たとえば、PUSCHまたはPUCCH)を、いずれかの方法で、またはいずれかの条件下で送信することができる。たとえば、図5に示すように、これらのリソースがいくつかの他のUE(たとえば、UE2)のSRS送信のために割り振られ/スケジュールされていたとしても、UE(たとえば、UE1)は、UEが長いUL(たとえば、PUSCH/PUCCH)信号504内で送信したことをネットワークまたはネットワークエンティティ20に動的に通知すること(たとえば、メッセージ/指示を送ること)ができる。
【００４９】
一例では、通知は、長いUL信号504の同じスロット内にある共通アップリンク信号506(たとえば、共通アップリンクバースト)内に含まれてよいか、またはその中で送信されてよい。この例では、別のUE(たとえば、UE2)が送信する(たとえば、ブロック510内にUE2が示されている)ようにスケジュールされているとしても、UE(たとえば、UE1)は、依然として、UL信号(たとえば、PUSCHまたはPUCCH)を送信することができる。一例では、通知は、UE(たとえば、UE1)が、別のUE(たとえば、UE2)のSRS送信によって使用されたリソース内で送信するか、または送信したことを示し得る。いくつかの実装形態では、通知または指示は、サブバンド固有またはシンボル固有であってよい。たとえば、UE(たとえば、UE1)は、UEが、特定のシンボル内で送信し、1つまたは複数の他のUE(たとえば、UE2)からの1つまたは複数のSRS送信と衝突したことを(たとえば、ネットワークエンティティ20)に通知することまたは示すことができる。
【００５０】
一態様では、UE(たとえば、UE1)がDFT-S-OFDMを使用してUL信号を送信するとき、UEは、マルチクラスタUL送信を回避するために、UL信号(たとえば、PUSCH)を常に送信することができる。いくつかの例では、ネットワークエンティティ20は、通知に基づいて、かつ/または本明細書で論じるUE動作に基づいて、高度処理を実行することができる。別の例ではUE(たとえば、UE1)は、PUSCHおよび/またはPUCCHのレートマッチングを実行することができ、他のUEに割り当てられたリソース内で送信しない。この場合、UE(たとえば、UE1)は、マルチクラスタ送信を回避しない。たとえば、他のUEからのSRS送信との衝突を回避するために、UE(たとえば、UE1)は、1つまたは複数の特定のサブバンドまたはクラスタ内で沈黙することができ、1つまたは複数の他のUE(たとえば、UE2)がSRSを送信しているとき、UL信号(たとえば、PUSCH)を送信しない。
【００５１】
図6を参照すると、一態様では、UE(たとえば、UE1およびUE2、またはUE12/14)は、たとえば、1つまたは複数のマルチクラスタUL送信を回避するために、またはUL送信のために使用されるべきクラスタの数を低減させるために、マルチクラスタUL送信方式600を使用するように構成され得る。ULリソース602内のリソース割振り604に示す一例では、UE(たとえば、UE1)は、UEがサポートし得るクラスタの最大数(たとえば、最大数X)を報告する。一実装形態では、UEがサポートし得るクラスタの最大数は、UE能力の一部であり得るか、またはその中に含まれ得る。一態様では、PUSCH/PUCCH割当ておよびアクティブなSRSリソースがクラスタの最大数Xを超える数に至るときはいつでも、UEは、クラスタの数が低減する(たとえば、最大数Xに等しい値に、または最大数X未満の値に低減する)方法でUL信号を送信することができる。一例では、シンボルは、UE1がUL信号を送信するために2つのクラスタを有し得る。たとえば、クラスタ606およびクラスタ608は、UE1が第1のシンボルを送信するために使用可能であり、クラスタ610およびクラスタ612は、UE1が第2のシンボルを送信するために使用可能であり、クラスタ614およびクラスタ616は、UE1が第3のシンボルを送信するために使用可能である。
【００５２】
リソース割振り604の例では、UE3およびUE2など、他のUEからの送信(たとえば、SRS送信)により、UE1は、シンボルのうちのいくつかの中で3個のクラスタ内で送信することができる。たとえば、UE1は、第4のシンボル内のクラスタ618、622、および628内で送信することができ、ブロック620、624、および626は、SRSリソースを使用してSRS信号を送信する。一態様では、たとえば、UEが2個のクラスタ内でのみ送信することができると仮定すると(たとえば、X=2、および/またはUE能力に基づいて)、2個を超えるクラスタ(たとえば、3つ以上の垂直矢印)が存在するという(列内に示された)シンボルの場合、UE1は、事前構成されたSRS送信または疑似ランダムSRS送信のいずれかを無視して、UE1がUL信号を送信するために2個のクラスタのみが使用されることを確実にすることができる。
【００５３】
いくつかの例では、UEがサポートし得るクラスタの数は、UEが送信するUL信号のタイプに応じて異なり得る。たとえば、UEがCP-OFDM信号を送信するとき、UEがサポートし得るクラスタの最大数は、UEがDFT-S-OFDM信号を送信するときのクラスタの最大数とは異なり得る。いくつかの実装形態では、UEが送信するUL信号のタイプに応じて、UEがサポートし得るクラスタの最大数を示すために、2つの数X1およびX2を使用することができる。たとえば、数X1は、CP-OFDM信号を送信するときにUEがサポートし得るクラスタの最大数を示すことができ、数X2は、DFT-S-OFDM信号を送信するときに、UEがサポートし得るクラスタの最大数を示すことができる。一態様では、たとえば、CP-OFDM信号の場合、数X1は、ゼロよりも大きく(たとえば、X1>0)構成されてよく、DFT-S-OFDM信号の場合、数X2は、ゼロに等しく(たとえば、X2=0)構成されてよい。一態様では、UEは、本明細書で論じるように、UEが送信したまたは送信しているUL信号のタイプに基づいて、異なる動作を有し得る。
【００５４】
図7を参照すると、一態様では、UE(たとえば、UE1、またはUE12/14)は、マルチクラスタUL送信方式700を使用して、送信されたクラスタの数、またはUL送信のために使用されるべきクラスタの数を低減させることができる。この例では、リソース割振り702は、UE1がUL信号を送信するための3個のクラスタ(たとえば、クラスタ704、708、および712)を含み得る。一実装形態では、UE1は、UE2(たとえば、ブロック706)からのまたはUE3(たとえば、ブロック710)からのSRS送信を無視することができ、クラスタの数が3から2に削減されるように、3個のクラスタの代わりに、2個のクラスタ内でUL信号(たとえば、PUSCH/PUCCH)を送信することができる。いくつかの実装形態では、複数のクラスタのうちのどのクラスタが無視されるかの選定は、事前判定された規則に基づいて構成され得る。たとえば、UEは、一方向から(たとえば、より高い周波数からより低い周波数に、またはより低い周波数からより高い周波数に)カウントして、最初の1つまたは複数のクラスタを無視することができる。別の例では、UEは、疑似ランダム方法を使用して、1つまたは複数のクラスタを無視することができる(たとえば、シードは、SRSインデックス識別(ID)および/またはシンボルIDに依存する)。
【００５５】
図8を参照すると、一態様では、UE(たとえば、UE1、またはUE12/14)は、マルチクラスタUL送信方式800を使用して、UEがUL信号(たとえば、PUSCH)を送信するように構成されるときにレートマッチングを実行することができる。リソース割振り804では、SRS送信(たとえば、ブロック806、808、810、および812のうちの1つまたは複数における)が、UEに対するPUSCH/PUCCHスケジュール送信の内部で本質的にパンクチャリングされ得る。
【００５６】
いくつかの例では、レートマッチングは簡略化されてよい。たとえば、リソース割振り804では、UE(たとえば、UE1)は、すべての構成されたまたは割り振られたリソース804(たとえば、他のUEからのSRSリソースまたはSRS送信)を避けてレートマッチングボックス802(2次元ボックス)のレートマッチングを実施することができる。いくつかの態様では、UEはレートマッチングを動的に実行するように構成され得る。一例では、UEは、UEが任意の他のUEからのSRS送信に干渉しないことを確実にするために、(たとえば、UEが控えめに送信する)デフォルトモードで構成され得る。UEが、予想されたダウンリンク制御情報(DCI)を受信しないとき、もしくは受信されたDCIの復号に失敗するとき、または(たとえば、DCIに基づいて)どのリソースがオンに切り替えられているかの識別に失敗するとき、UEは、デフォルトモードで実行するように構成され得る。別の例では、UEが、予想されたDCIを受信しないとき、受信されたDCIの復号に失敗するとき、および/または、どのリソースがオンに切り替えられているかの識別に失敗するとき、UEは、任意の他のUEからのすべてのSRSリソース/送信を避けてレートマッチング(たとえば、レートマッチングボックス802)を実行するように構成され得る。いくつかの例では、UEが、DCIを受信するとき、受信されたDCIを首尾よく復号するとき、および/またはどのリソースがオンに切り替えられているかを首尾よく識別するとき、UEは、他のUEのすべての構成されたSRSリソースを避けてレートマッチングボックス802のレートマッチングを実行するように構成され得る。いくつかの実装形態では、UEは、どのリソース(たとえば、他のUEからのSRS送信)がオンに切り替えられているかを識別する必要がなく、UEは、(たとえば、レートマッチングを実行するかもしくは実行しないように)デフォルトモードに、またはUEによってサポートされる場合、レートマッチングを実行するように動的に構成され得る。
【００５７】
いくつかの例では、ネットワークエンティティ20は、UEが本明細書で説明するように控えめなレートマッチングを実行することをネットワークエンティティ20が希望するかどうかをUEに半静的に示すことができる。たとえば、UEは、すべてのSRSリソースを避けてレートマッチングを実行するように(たとえば、ネットワークエンティティ20によって)構成され得るかまたは示され得る。別の例では、レートマッチングが同じスロット内でDCIを通してトリガされない場合、UEは、半静的にかつ/または独立して構成されるすべてのSRSリソースを避けてレートマッチングを実行することができる。別の例では、UEは、すべてのSRSリソースを避けてレートマッチングを実行するように(たとえば、ネットワークエンティティ20によって)構成され得るかまたは示され得る。一態様では、UEがホッピングSRSリソースで構成される場合、UEは、他のUE(たとえば、UE2またはUE3)によってホッピングパターンで使用され得るすべてのサブバンドおよびシンボル内でレートマッチングすることができ、かつ/または沈黙する(たとえば、UL送信がない)ことができる。
【００５８】
いくつかの態様では、SRSパターン(たとえば図8のレートマッチングボックス802)に関連する1つまたは複数の通知または指示がUEに送信され得る。一例では、CP-OFDMベースのPUSCH送信の場合、少数のSRSパターン(または、すなわち、SRSに対するPUSCHレートマッチングパターン)をセル固有のかつ/またはUE固有の方法で定義することができる。一態様では、セル固有の指示は、いくつかの固定のまたは半静的なSRS送信を示し得る。たとえば、周期的なSRS送信の場合、セル固有の指示は、SRSが、ULセントリックスロットのUL部分の第1のシンボルまたは最後のシンボルのみを使用することができることを示し得る。別の態様では、UE固有の指示は、2つ以上の無線リソース制御(RRC)構成されたSRSパターンに基づいて使用され得る。たとえば、非周期的SRS送信またはいくつかの周期的SRS送信の場合、本明細書で論じる1つまたは複数のSRSパターンを使用することができる。場合によっては、第1のパターンは、狭帯域全体の中の1つまたは複数のSRSであり得、狭帯域ロケーションはスロット依存である。場合によっては、第2のパターンは、狭帯域全体の中の1つまたは複数のSRSであり得、狭帯域ロケーションはスロット依存型である。いくつかの例では、第3のパターンは、スロット内のシンボルのセット内の広帯域SRSであり得る。いくつかの実装形態では、第1のパターン、第2のパターン、または第3のパターンのうちの少なくとも1つは、非周期的SRS送信または周期的SRS送信のために使用され得る。
【００５９】
一態様では、UEは、1つまたは複数のセル固有の指示(たとえば、セル固有のSRSパターンの指示)と1つまたは複数のUE固有の指示(たとえば、UE固有のSRSパターンの指示)とを組み合わせて、1つまたは複数のレートマッチングパラメータを導出することができる。たとえば、1つまたは複数のPUSCHレートマッチングパラメータは、セル固有のSRSパターンとUE固有のSRSパターンの組合せに応じて構成され得る。いくつかの実装形態では、ネットワークエンティティ20は、第2のセル内のPUSCH送信と衝突するSRS送信が第1のセル内に存在するか否かを識別および/または管理するように構成され得る。
【００６０】
いくつかの態様では、シングルキャリアOFDM(SC-OFDM)ベースのPUSCHの場合、SRSパターンは、シンボルベースで(たとえば、シンボルごとに、またはサブバンド固有の処理で)定義され得る。いくつかの例では、SC-OFDMベースのPUSCHに2つ以上のサブバンドを割り当てることができると仮定すると、SC-OFDMベースのPUSCH送信が1つのサブバンド内の割当てまたは割振りに制限されている場合、SC-OFDMベースのPUSCHレートマッチングに関するSRSパターンはサブバンドベースで行われ得る。たとえば、パターンの第1のセットを第1のサブバンドに対して使用することができ、パターンの第2のセットを第2のサブバンドに対して使用することができる。いくつかの実装形態では、UEは、サブバンド内でPUSCHが割り当てられるとき、割り当てられたサブバンドに対応する示されたパターンを使用することができる。
【００６１】
一態様では、DCIを伴わないPUSCH送信の場合、本明細書で論じる動的な手法が容易に利用可能でない場合、デフォルト、もしくは半静的構成、またはレートマッチングが存在し得る。
【００６２】
説明の簡略化のために、本明細書で論じる方法は、一連の動作として示され説明されており、本方法(および、それに関連するさらなる方法)は、動作の順序に限定されず、いくつかの動作は、1つまたは複数の態様に従って、本明細書で示し説明するものとは異なる順序で、および/または異なる他の動作と同時に行われ得ることが理解および諒解されるべきである。たとえば、方法は、代わりに、状態図などにおいて、一連の相互に関係する状態またはイベントとして表されてもよいことを諒解されたい。さらに、本明細書で説明する1つまたは複数の特徴に従って方法を実装するために、図示したすべての動作が必要とされるとは限らない場合がある。
【００６３】
図9を参照すると、動作態様では、UE(たとえば、UE1、またはUE12もしくはUE14)は、ワイヤレス通信システム内のアップリンク送信のための方法900の1つまたは複数の態様を実行し得る。たとえば、プロセッサ103、メモリ130、モデム108、トランシーバ106(たとえば、受信機32および/または送信機34)、アップリンク管理構成要素40、SRSリソース構成要素42、レートマッチング構成要素44、および/またはクラスタ管理構成要素46のうちの1つまたは複数は、方法900の1つまたは複数の態様を実行するように構成され得る。
【００６４】
一態様では、ブロック902において、方法900は、UEが、1つまたは複数のSRSパターンの情報を受信するステップを含み得る。一態様では、たとえば、アップリンク管理構成要素40および/またはSRSリソース構成要素42は、たとえば、プロセッサ103、メモリ130、モデム108、および/または受信機32のうちの1つまたは複数と連携して、受信機32を介して、1つまたは複数のSRSパターンの情報を受信するように構成され得る。いくつかの例では、UEは、1つまたは複数の指示を通して1つまたは複数のSRSパターンの情報をネットワークエンティティ20から受信することができる。場合によっては、1つまたは複数のSRSパターンの情報は、DCI内で、または物理ダウンリンク制御チャネル(PDCCH)上で受信され得る。
【００６５】
一態様では、ブロック904において、方法900は、UEが、その情報に基づいて、1つまたは複数のSRSリソースを識別するステップを任意で含み得る。一態様では、たとえば、アップリンク管理構成要素40および/またはSRSリソース構成要素42は、たとえば、プロセッサ103、メモリ130、モデム108、および/またはトランシーバ106のうちの1つまたは複数と連携して、ブロック902において受信された情報に基づいて、1つまたは複数のSRSリソースを識別または判定するように構成され得る。一例では、UEは、トランシーバ106を介して、識別された1つまたは複数のSRSリソースを避けて1つまたは複数のアップリンク信号を送信することができる。場合によっては、1つまたは複数のSRSパターンは、アップリンク送信のために使用されるかまたはスケジュールされる、1つまたは複数のSRSリソースを示し得る。
【００６６】
一態様では、ブロック906において、方法900は、UEが、シンボル内のアップリンク送信のためにUEによって使用され得るクラスタの数を判定するステップを任意で含み得る。一態様では、たとえば、アップリンク管理構成要素40および/またはクラスタ管理構成要素46は、たとえば、プロセッサ103、メモリ130、モデム108、および/またはトランシーバ106のうちの1つまたは複数と連携して、シンボル内のアップリンク送信のためにUEによって使用され得るクラスタの数を判定するように構成され得る。一例では、UEは、UEがサポートし得るクラスタの最大数を判定、識別、または報告することができ、クラスタの最大数は、UEのUE能力の一部分であってよく、またはその中に含まれてもよい。場合によっては、クラスタは、1つまたは複数のアップリンク送信のためにUEによって使用され得る周波数領域内の非連続クラスタであってよく、シンボルは、OFDMシンボルであってよい。
【００６７】
一態様では、ブロック908において、方法900は、クラスタの数が、UEがサポートするクラスタの最大数よりも大きいことに応じて、UEが、クラスタの数を低減させるステップを任意で含み得る。一態様では、たとえば、アップリンク管理構成要素40および/またはクラスタ管理構成要素46は、たとえば、プロセッサ103、メモリ130、モデム108、および/またはトランシーバ106のうちの1つまたは複数と連携して、ブロック906において判定されたクラスタの数が、UEがサポートするクラスタの最大数よりも大きいことに応じて、アップリンク送信のためにUEによって使用されるクラスタの数を低減させるように構成され得る。たとえば、UEは、クラスタのうちの1つまたは複数をドロップするように構成され得る。
【００６８】
一態様では、ブロック910において、方法900は、UEが、その情報に基づいて、1つまたは複数のレートマッチングパラメータを生成するステップを含み得る。一態様では、たとえば、アップリンク管理構成要素40および/またはレートマッチング構成要素44は、たとえば、プロセッサ103、メモリ130、モデム108、および/またはトランシーバ106のうちの1つまたは複数と連携して、ブロック902において受信された1つまたは複数のSRSパターンの1つまたは複数の指示および/または情報に基づいて、1つまたは複数のレートマッチングパラメータを生成する(たとえば、識別、判定、および/または算出を実行する)ように構成され得る。いくつかの例では、情報は、DCI内でまたはPDCCH上で受信されるSRSパターンまたはレートマッチングパラメータであり得る。
【００６９】
一態様では、ブロック912において、方法900は、UEが、生成された1つまたは複数のレートマッチングパラメータに基づいて、アップリンク信号を送信するステップを含み得る。一態様では、たとえば、アップリンク管理構成要素40および/またはレートマッチング構成要素44は、たとえば、プロセッサ103、メモリ130、モデム108、および/または送信機34のうちの1つまたは複数と連携して、送信機34を介して、ブロック910において生成された1つまたは複数のレートマッチングパラメータに基づいて、1つまたは複数のアップリンク信号(たとえば、PUSCH/PUCCH)を送信するように構成され得る。
【００７０】
一態様では、ブロック914において、方法900は、UEが、生成された1つまたは複数のレートマッチングパラメータに基づいて、アップリンク信号に対してレートマッチングを実行するステップを任意で含み得る。一態様では、たとえば、アップリンク管理構成要素40および/またはレートマッチング構成要素44は、たとえば、プロセッサ103、メモリ130、モデム108、および/またはトランシーバ106のうちの1つまたは複数と連携して、生成された1つまたは複数のレートマッチングパラメータに基づいて、アップリンク信号に対するレートマッチングを実行するように構成され得る。たとえば、UEは、ブロック904において識別されたSRSリソースを避けてレートマッチングを実行するように構成され得る。
【００７１】
あるいは、ブロック914において、方法900は、UEが、生成された1つまたは複数のレートマッチングパラメータに基づいて、アップリンク信号をパンクチャリングするステップを任意で含み得る。一態様では、たとえば、アップリンク管理構成要素40および/またはレートマッチング構成要素44は、たとえば、プロセッサ103、メモリ130、モデム108、および/またはトランシーバ106のうちの1つまたは複数と連携して、ブロック910において生成された1つまたは複数のレートマッチングパラメータに基づいて、アップリンク信号をパンクチャリングするように構成され得る。
【００７２】
図10を参照すると、別の動作態様では、UE(たとえば、UE1、またはUE12もしくはUE14)は、ワイヤレス通信システム内のアップリンク送信のための方法1000の1つまたは複数の態様を実行し得る。たとえば、プロセッサ103、メモリ130、モデム108、トランシーバ106(たとえば、受信機32および/または送信機34)、アップリンク管理構成要素40、SRSリソース構成要素42、レートマッチング構成要素44、および/またはクラスタ管理構成要素46のうちの1つまたは複数は、方法1000の1つまたは複数の態様を実行するように構成され得る。
【００７３】
一態様では、ブロック1002において、方法1000は、UEが、1つまたは複数のレートマッチングパラメータを受信するステップを含み得る。一態様では、たとえば、アップリンク管理構成要素40および/またはレートマッチング構成要素44は、たとえば、プロセッサ103、メモリ130、モデム108、および/または受信機32のうちの1つまたは複数と連携して、受信機32を介して、1つまたは複数のレートマッチングパラメータを受信するように構成され得る。いくつかの例では、UEは、1つまたは複数のレートマッチングパラメータ(たとえば、1つまたは複数のSRSパターンまたはSRSリソースに関連するパラメータ)をネットワークエンティティ20から受信することができる。
【００７４】
一態様では、ブロック1004において、方法1000は、UEが、1つまたは複数のレートマッチングパラメータに基づいて、1つまたは複数のSRSリソースを識別するステップを任意で含み得る。一態様では、たとえば、アップリンク管理構成要素40、SRSリソース構成要素42、および/またはレートマッチング構成要素44は、たとえば、プロセッサ103、メモリ130、モデム108、および/またはトランシーバ106のうちの1つまたは複数と連携して、ブロック1002において受信された1つまたは複数のレートマッチングパラメータに基づいて、1つまたは複数のSRSリソースを識別または判定するように構成され得る。一例では、UEは、トランシーバ106を介して、識別された1つまたは複数のSRSリソースを避けて1つまたは複数のアップリンク信号を送信することができる。
【００７５】
一態様では、ブロック1006において、方法1000は、UEが、シンボル内のアップリンク送信のためにUEによって使用され得るクラスタの数を判定するステップを任意で含み得る。一態様では、たとえば、アップリンク管理構成要素40および/またはクラスタ管理構成要素46は、たとえば、プロセッサ103、メモリ130、モデム108、および/またはトランシーバ106のうちの1つまたは複数と連携して、シンボル内のアップリンク送信のためにUEによって使用され得るクラスタの数を判定するように構成され得る。一例では、UEは、UEがサポートし得るクラスタの最大数を判定、識別、または報告することができ、クラスタの最大数は、UEのUE能力の一部分であってよく、またはその中に含まれてもよい。場合によっては、クラスタは、1つまたは複数のアップリンク送信のためにUEによって使用され得る周波数領域内の非連続クラスタであってよく、シンボルは、OFDMシンボルであってよい。
【００７６】
一態様では、ブロック1008において、方法1000は、クラスタの数が、UEがサポートするクラスタの最大数よりも大きいことに応じて、UEが、クラスタの数を低減させるステップを任意で含み得る。一態様では、たとえば、アップリンク管理構成要素40および/またはクラスタ管理構成要素46は、たとえば、プロセッサ103、メモリ130、モデム108、および/またはトランシーバ106のうちの1つまたは複数と連携して、ブロック1006において判定されたクラスタの数が、UEがサポートするクラスタの最大数よりも大きいことに応じて、アップリンク送信のためにUEによって使用されるクラスタの数を低減させるように構成され得る。たとえば、UEは、クラスタのうちの1つまたは複数をドロップするように構成され得る。
【００７７】
一態様では、ブロック1010において、方法1000は、UEが、受信された1つまたは複数のレートマッチングパラメータに基づいて、UEが1つまたは複数のSRSリソース内でアップリンク信号を送信するようにスケジュールされていないと判定するステップを含み得る。一態様では、たとえば、アップリンク管理構成要素40および/またはレートマッチング構成要素44は、たとえば、プロセッサ103、メモリ130、モデム108、および/またはトランシーバ106のうちの1つまたは複数と連携して、ブロック1002において受信された1つまたは複数のレートマッチングパラメータに基づいて、UEが1つまたは複数のSRSリソース内でアップリンク信号を送信するようにスケジュールされているか否かを判定するように構成され得る。いくつかの例では、1つまたは複数のレートマッチングパラメータは、1つまたは複数のSRSパターンの1つまたは複数の指示および/または情報に関連付けられ得る。場合によっては、1つまたは複数のレートマッチングパラメータは、1つまたは複数のSRSリソースを示す1つまたは複数のSRSパターンを含み得る。
【００７８】
一態様では、ブロック1012において、方法1000は、UEが、その判定に基づいて、アップリンク信号を送信するステップを含み得る。一態様では、たとえば、アップリンク管理構成要素40および/またはレートマッチング構成要素44は、たとえば、プロセッサ103、メモリ130、モデム108、および/または送信機34のうちの1つまたは複数と連携して、送信機34を介して、ブロック1010における判定に基づいて、1つまたは複数のアップリンク信号(たとえば、PUSCH/PUCCH)を送信するように構成され得る。たとえば、UEは、送信機34を介して、ブロック1004において識別された1つまたは複数のSRSリソースを避けて1つまたは複数のアップリンク信号を送信することができる。
【００７９】
一態様では、ブロック1014において、方法1000は、UEが、1つまたは複数のレートマッチングパラメータに基づいて、アップリンク信号に対してレートマッチングを実行するステップを任意で含み得る。一態様では、たとえば、アップリンク管理構成要素40および/またはレートマッチング構成要素44は、たとえば、プロセッサ103、メモリ130、モデム108、および/またはトランシーバ106のうちの1つまたは複数と連携して、1つまたは複数のレートマッチングパラメータに基づいて、アップリンク信号に対するレートマッチングを実行するように構成され得る。たとえば、UEは、ブロック1004において識別されたSRSリソースを避けてレートマッチングを実行するように構成され得る。
【００８０】
あるいは、ブロック1014において、方法1000は、UEが、1つまたは複数のレートマッチングパラメータに基づいて、アップリンク信号をパンクチャリングするステップを任意で含み得る。一態様では、たとえば、アップリンク管理構成要素40および/またはレートマッチング構成要素44は、たとえば、プロセッサ103、メモリ130、モデム108、および/またはトランシーバ106のうちの1つまたは複数と連携して、ブロック1002において受信された1つまたは複数のレートマッチングパラメータに基づいて、アップリンク信号をパンクチャリングするように構成され得る。
【００８１】
LTE/LTE-Aシステムまたは5G通信システムを参照して、電気通信システムのいくつかの態様を提示してきた。当業者が容易に諒解するように、本開示全体にわたって説明した様々な態様は、他の電気通信システム、ネットワークアーキテクチャ、および通信規格に拡張され得る。
【００８２】
一例として、様々な態様は、高速ダウンリンクパケットアクセス(HSDPA)、高速アップリンクパケットアクセス(HSUPA)、高速パケットアクセスプラス(HSPA+)、およびTD-CDMAなどの他の通信システムに拡張され得る。様々な態様はまた、ロングタームエボリューション(LTE)(FDD、TDD、またはこれら両方のモードの)、LTEアドバンスト(LTE-A)(FDD、TDD、またはこれら両方のモードの)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、超広帯域(UWB)、Bluetooth(登録商標)、および/または他の適切なシステムを利用するシステムに拡張されてもよい。採用される実際の電気通信規格、ネットワークアーキテクチャ、および/または通信規格は、具体的な用途およびシステムに課される全体的な設計制約に依存する。
【００８３】
開示した方法におけるステップの特定の順序または階層は例示的なプロセスの説明であることを理解されたい。設計上の選好に基づいて、方法におけるステップの特定の順序または階層が並べ替えられてよいことが理解される。添付の方法クレームは、サンプルの順序で様々なステップの要素を提示しており、その中に特に列挙されていない限り、提示された特定の順序または階層に限定されるものではない。
【００８４】
前述の説明は、いかなる当業者も、本明細書で説明した様々な態様を実践することが可能になるように提供される。これらの態様に対する様々な修正が当業者には容易に明らかになり、本明細書に規定された一般原理は他の態様に適用されてよい。したがって、特許請求の範囲は、本明細書に示された態様に限定されるものではなく、特許請求の範囲の文言と一致するすべての範囲が与えられるべきであり、単数の要素への言及は、そのように明記されていない限り、「唯一無二」を意味するものではなく、むしろ「1つまたは複数」を意味するものである。別段に明記されていない限り、「いくつかの」という用語は1つまたは複数を指す。項目のリストのうちの「少なくとも1つ」を指すフレーズは、単一のメンバを含むそれらの項目の任意の組合せを指す。一例として、「a、b、またはcのうちの少なくとも1つ」は、a、b、c、aおよびb、aおよびc、bおよびc、ならびにa、b、およびcを包含するものである。当業者に知られているか、または後に知られることになる、本開示全体にわたって説明した様々な態様の要素に対するすべての構造的および機能的な均等物は、参照によって本明細書に明白に組み込まれ、特許請求の範囲によって包含されるものである。その上、本明細書で開示したものは、そのような開示が特許請求の範囲において明示的に列挙されているかどうかにかかわらず、公に供されるものではない。
【符号の説明】
【００８５】
12  UE
14  UE
20  ネットワークエンティティ
26  ワイヤレス通信
32  受信機
34  送信機
40  アップリンク管理構成要素
42  SRSリソース構成要素
44  レートマッチング構成要素
46  クラスタ管理構成要素
100  ワイヤレス通信システム
110  バス
102  アンテナ
103  プロセッサ
104  RFフロントエンド
106  トランシーバ
108  モデム
130  メモリ
141  低雑音増幅器(LNA)
142  スイッチ
143  スイッチ
144  フィルタ
145  電力増幅器(PA)
146  スイッチ
200  マルチクラスタUL送信
202  ULリソース
204  UEに対するPUSCHおよび/またはPUCCH割振り
206  UEに対するPUSCHおよび/またはPUCCH割振り
300  ホッピングを伴うマルチシンボルSRS方式
302  ULリソース
304  ブロック
306  ブロック
308  ブロック
310  ブロック
312  シンボル
314  サブバンド
400  ホッピングを伴うマルチシンボルSRS方式
402  ULリソース
404  長いリソース割振り
406  ブロック
408  ブロック
410  ブロック
412  ブロック
500  マルチシンボルSRS方式
502  ULリソース
504  長いUL信号
506  共通アップリンク信号
508  ブロック
510  ブロック
600  マルチクラスタUL送信方式
602  ULリソース
604  リソース割振り
606  クラスタ
608  クラスタ
610  クラスタ
612  クラスタ
614  クラスタ
616  クラスタ
618  クラスタ
620  ブロック
622  クラスタ
624  ブロック
626  ブロック
628  クラスタ
700  マルチクラスタUL送信方式
702  リソース割振り
704  クラスタ
706  ブロック
708  クラスタ
710  ブロック
712  クラスタ
800  マルチクラスタUL送信方式
802  レートマッチングボックス
804  リソース割振り
806  ブロック
808  ブロック
810  ブロック
812  ブロック
900  方法
1000  方法
【図１】
2020512751.tif 000003
【図２】
2020512751.tif 000004
【図３】
2020512751.tif 000005
【図４】
2020512751.tif 000006
【図５】
2020512751.tif 000007
【図６】
2020512751.tif 000008
【図７】
2020512751.tif 000009
【図８】
2020512751.tif 000010
【図９】
2020512751.tif 000011
【図１０】
2020512751.tif 000012
【国際調査報告】
2020512751.tif 000013
2020512751.tif 000014
2020512751.tif 000015
2020512751.tif 000016
2020512751.tif 000017